(57)【特許請求の範囲】
【請求項１】
屋外に面しかつ雨に晒される建物の屋外面に水勾配を形成する水勾配構造であって、前記屋外面上に面積の小さいものから順に積層された可撓性を有する複数の面状部材と、これらの複数の面状部材を覆う防水シートとを有することを特徴とする水勾配構造。
【請求項２】
請求項１に記載した水勾配構造において、前記屋外面は一方向に傾斜した傾斜面であり、前記面状部材は、前記屋外面の傾斜方向と直交する方向の幅寸法が小さいものから順に積層されていることを特徴とする水勾配構造。
【請求項３】
屋外に面しかつ雨に晒される建物の屋外面に水勾配を形成する水勾配構造であって、前記屋外面上に面積の大きいものから順に積層された複数の面状部材と、これらの複数の面状部材を覆う防水シートとを有することを特徴とする水勾配構造。
【請求項４】
請求項３に記載した水勾配構造において、前記屋外面は一方向に傾斜した傾斜面であり、前記面状部材は、前記屋外面の傾斜方向と直交する方向の幅寸法が大きいものから順に積層されていることを特徴とする水勾配構造。
【請求項５】
請求項１から請求項４までのいずれかに記載した水勾配構造において、前記面状部材には、その端面に沿って断面直角三角形の勾配調整材が設けられていることを特徴とする水勾配構造。
【発明の詳細な説明】
【０００１】
【発明の属する技術分野】
本発明は、建物の屋根面やバルコニの床面等の屋外に面しかつ雨に晒される屋外面に設けられる水勾配構造に関する。
【０００２】
【背景技術】
通常、フラット屋根の屋根面やバルコニの床面等の屋外面には、排水溝や排水口に向かう二次元の水勾配が形成されて雨水を排水できるようになっている。この水勾配は、上面が一方向に傾斜した複数の勾配部材を建物躯体に設置し、これらの勾配部材の上面に屋根面材や床面材を固定することにより形成されている。
【０００３】
【発明が解決しようとする課題】
このような屋外面において排水溝等の位置が制約される場合、雨水を所定位置の排水溝まで導くために、屋外面には三次元の水勾配が必要とされることがある。しかし、屋外面の水勾配は勾配部材を建物躯体に組み付けることにより形成するため、三次元の水勾配を形成しようとすると、各勾配部材の形状や配置が複雑化して、多くの手間がかかるうえにコスト高となる。
【０００４】
本発明の目的は、複雑な水勾配でも容易かつ低コストに形成できる水勾配構造を提供することにある。
【０００５】
【課題を解決するための手段】
本発明は、図面を参照して説明すると、屋外に面しかつ雨に晒される建物の屋外面１１Ａに水勾配を形成する水勾配構造であって、前記屋外面１１Ａ上に面積の小さいものから順に積層された可撓性を有する複数の面状部材３１と、これらの複数の面状部材３１を覆う防水シート３２とを有することを特徴とする。
【０００６】
本発明では、可撓性を有する面状部材３１を面積の小さいものから順に積層するので、最上層の防水シート３２の表面には、面状部材３１が最も多く積層された部分から最も少なく積層された部分に向かう勾配が形成されるようになり、水勾配を簡単な構造で容易かつ低コストに形成することができる。このため、形成する勾配に応じて面状部材３１の形状や配置等を設定すれば、複雑な水勾配でも簡単に形成することができる。
また、下層の面積の小さい面状部材３１が上層の面積の大きい面状部材３１により覆われるので、防水シート３２の表面に面状部材３１による段差が出にくくなり、水が面状部材３１の勾配に沿って滞りなく流れるようになる。
さらに、面状部材３１は防水シート３２により覆われるため、水が面状部材３１に達するのを防止できるようになり、可撓性を有する材料であれば面状部材３１を任意の材料で構成することができる。
これらにより、前記目的が達成される。
【０００７】
そして、前記屋外面１１Ａは一方向に傾斜した傾斜面であり、前記面状部材３１は、前記屋外面１１Ａの傾斜方向と直交する方向の幅寸法が小さいものから順に積層されていてもよい。
【０００８】
このように屋外面１１Ａの傾斜方向と直交する幅寸法が小さい面状部材３１から順に積層すれば、面状部材３１による勾配が屋外面１１Ａの傾斜方向と直交する方向に形成されるようになり、三次元の勾配を簡単かつ低コストに形成できる。さらに、屋外面１１Ａの傾斜を既存の勾配部材を用いて構成すれば、面状部材３１および防水シート３２を積層するだけで三次元の勾配を容易に形成することができる。
【０００９】
一方、本発明は、屋外に面しかつ雨に晒される建物の屋外面１１Ａに水勾配を形成する水勾配構造であって、前記屋外面１１Ａ上に面積の大きいものから順に積層された複数の面状部材３１と、これらの複数の面状部材３１を覆う防水シート３２とを有することを特徴とする。
【００１０】
本発明では、面状部材３１を面積の大きいものから順に積層するので、最上層の防水シート３２の表面には、面状部材３１が最も多く積層された部分から最も少なく積層された部分に向かう勾配が形成されるようになり、水勾配を簡単な構造で容易かつ低コストに形成することができる。従って、形成する勾配に応じて面状部材３１の形状や配置等を設定すれば、複雑な水勾配でも簡単に形成することができる。
また、面積の大きい面状部材３１から順に積層するので、下層の面状部材３１に対して上層の面状部材３１を容易に位置決めできるようになり、精度よく勾配を形成できるうえに面状部材３１の配置を容易に行うことができる。
さらに、面状部材３１は防水シート３２により覆われるため、水が面状部材３１に達するのを防止できるようになり、面状部材３１を任意の材料で構成することができる。
これらにより、前記目的が達成される。
【００１１】
そして、前記屋外面１１Ａは一方向に傾斜した傾斜面であり、前記面状部材３１は、前記屋外面１１Ａの傾斜方向と直交する方向の幅寸法が大きいものから順に積層されていてもよい。
【００１２】
このように屋外面１１Ａの傾斜方向と直交する幅寸法が大きい面状部材３１から順に積層すれば、面状部材３１による勾配が屋外面１１Ａの傾斜方向と直交する方向に形成されるようになり、三次元の勾配を簡単かつ低コストに形成できる。さらに、屋外面１１Ａの傾斜を既存の勾配部材を用いて構成すれば、面状部材３１および防水シート３２を積層するだけで三次元の勾配を容易に形成することができる。
【００１３】
さらに、前記面状部材３１には、その端面に沿って断面直角三角形の勾配調整材３３が設けられていることが望ましい。
このような断面直角三角形の勾配調整材３３を設ければ、面状部材３１の端面には勾配調整材３３の斜面により勾配が形成されるようになり、面状部材３１の厚さによる段差を解消することができるので、水を勾配に沿って円滑に導くことができるようになる。
【００１４】
【発明の実施の形態】
以下、本発明の一実施形態を図面に基づいて説明する。
図１および図２には、本実施形態の水勾配構造を備えた屋根部１０が示されている。
屋根部１０は図示しない建物躯体上に設けられている。この建物躯体は、例えば、複数の建物ユニットを組み合わせて構築されるユニット式建物である。
屋根部１０は、屋外に面しかつ雨に晒される屋外面である屋上面１１Ａを備えたフラット屋根１１と、傾斜屋根面１２Ａを有する傾斜屋根１２とを含んでいる。
【００１５】
傾斜屋根１２は、屋根ユニット１３およびペントハウスユニット１４を含んで構成されている。傾斜屋根面１２Ａは、これらの屋根ユニット１３およびペントハウスユニット１４の傾斜した上面により構成されている。ペントハウスユニット１４は、建物躯体の階段と連通される出入口１４Ａを有し、この出入口１４Ａを介して建物躯体から屋上面１１Ａに出入りできるようになっている。
【００１６】
フラット屋根１１は、建物躯体上に設置された既存の勾配部材およびこの勾配部材に固定された屋根面材を含む複数の屋根部材２０Ａ，２０Ｂを備えている。勾配部材は、例えば、上面が傾斜した角柱状の部材であり、この上面の傾斜に沿って屋根面材が固定されている。これにより、屋上面１１Ａには、図２中矢印Ａ方向の緩やかな下り勾配が形成されている。なお、屋上面１１Ａを構成する屋根部材２０Ａ，２０Ｂの表面には防水処理が施されている。
【００１７】
この屋根部材２０Ａ，２０Ｂの屋外に面する側縁には、雨水等を堰き止める立ち上がり部２１が設けられている。
屋上面１１Ａの傾斜の下端側の屋根部材２０Ａ，２０Ｂのうち両側の屋根部材２０Ａには、傾斜の下端側の辺に沿って排水溝２２が設けられている。この排水溝２２には、その端部に設けられた排水口２３に向かう下り勾配が形成されている。
【００１８】
屋根部材２０Ａに挟まれた屋根部材２０Ｂには、屋上面１１Ａにおいて屋上面１１Ａの傾斜方向（図２中矢印Ａ方向）と直交する方向に傾斜する山型の水勾配が形成され、屋上面１１Ａの傾斜と併せた三次元の水勾配が形成されている。
図３および図４に示すように、屋根部材２０Ｂの表面には、面積の小さいものから順に積層された可撓性を有する複数の面状部材３１と、これらの複数の面状部材３１を覆う防水シート３２とが設置されている。
【００１９】
面状部材３１は可撓性を有するシートであり、例えば、プラスチックやゴム或いは布等の可撓性を有する材料により形成されている。
これらの面状部材３１は、屋上面１１Ａの傾斜方向（図２中矢印Ａ方向）と直交する方向の幅寸法Ｌだけが異なる矩形のシートであり、この幅寸法Ｌが小さいものから順に積層されている。これにより、最上層の防水シート３２の表面には、面状部材３１が最も多く積層された中央部から幅方向の両端部に向かう山型の勾配が形成されている。
【００２０】
面状部材３１には、その幅方向の各端面に沿って断面直角三角形の勾配調整材３３が設けられている。勾配調整材３３は、直角に立ち上がる側面が面状部材３１の端面に当接され、その斜面が面状部材３１の上面と連続するように配置されている。
【００２１】
このように構成された本実施形態においては、雨が降ると、屋根部材２０Ａの表面においては、雨水が屋根面１１Ａの傾斜方向（図２中矢印Ａ方向）に流れて排水溝２２に導入され、排水溝２２の傾斜に沿って流れて排水口２３に達する。
屋根部材２０Ｂの表面においては、屋根面１１Ａの傾斜方向（図２中矢印Ａ方向）に沿って流れる雨水が、面状部材３１により形成された勾配に沿って屋根面１１Ａの傾斜方向と直交する方向に振り分けられるようになり（図２中矢印Ｂ方向）、両側の屋根部材２０Ａの排水溝２２まで導かれる。
【００２２】
このような本実施形態によれば、以下のような効果がある。
すなわち、可撓性を有する面状部材３１を面積の小さいものから順に積層したので、最上層の防水シート３２の表面には、面状部材３１が最も多く積層された部分から最も少なく積層された部分に向かう水勾配を形成できるようになり、水勾配を簡単な構造で容易かつ低コストに形成することができる。
【００２３】
また、下層の面積の小さい面状部材３１が上層の面積の大きい面状部材３１により覆われるので、防水シート３２の表面に面状部材３１による段差が出にくくなり、防水シート３２の表面の勾配に沿って雨水が滞りなく流れるようになる。
さらに、面状部材３１は防水シート３２により覆われるため、水が面状部材３１に達するのを防止できるようになり、可撓性を有する材料であれば面状部材３１を任意の材料で構成することができる。
【００２４】
そして、屋上面１１Ａの傾斜方向（図２中矢印Ａ方向）と直交する方向の幅寸法Ｌの小さい面状部材３１から順に積層したので、面状部材３１による勾配が屋上面１１Ａの傾斜方向と直交する方向に形成されるようになり、屋上面１１Ａの傾斜方向に流れる水をその傾斜方向と直交する方向に振り分ける三次元の水勾配を簡単かつ低コストに形成できる。
また、屋上面１１Ａの傾斜を既存の勾配部材を用いた屋根部材２０Ａ，２０Ｂにより構成したので、面状部材３１および防水シート３２を積層するだけで複雑な三次元の水勾配を容易に形成することができる。
【００２５】
さらに、屋根部材２０Ｂには排水溝２２や排水口２３が必要なくなるので、それらを形成する手間および隣接する屋根部材２０Ａの排水溝２２と連結する手間を省略できる。
【００２６】
そして、断面直角三角形の勾配調整材３３を設けたため、面状部材３１の端面には勾配調整材３３の斜面により勾配が形成されるようになり、面状部材３１の厚さによる段差を解消することができるので、水を勾配に沿って円滑に導くことができるようになる。
【００２７】
なお、本発明は前記実施形態に限定されるものではなく、本発明の目的を達成できる他の構成等を含み、以下に示すような変形なども本発明に含まれる。
すなわち、前記実施形態では、矩形の面状部材３１を積層したが、例えば、図５に示すように、互いに相似な三角形の面状部材３１を積層してもよい。これによれば、屋上面１１Ａの傾斜方向（図２中矢印Ａ方向）の長さ寸法が比較的長くても、その傾斜の下端部にこの三角形の面状部材３１を積層するだけで、水を振り分ける三次元の水勾配を比較的小さい面積の面状部材３１で簡単に形成できる。
【００２８】
また、面状部材３１の形状は矩形や三角形に限らず、台形等の他の形状としてもよく、さらには、互いに異なる形状の面状部材３１を積層してもよく、その形状は、互いに面積の異なるものであれば、形成する水勾配に応じて適宜設定すればよい。
【００２９】
前記実施形態では、面積の小さい面状部材３１から順に積層したが、図６に示すように、面積の大きい面状部材３１から順に積層して水勾配を形成してもよい。この場合、面状部材３１の材質は、プラスチックやゴム等の可撓性を有する材料に限定されず、木板や鋼鈑等の材料により形成してもよい。このようにすれば、前記実施形態と同様な作用、効果を奏することができる他、面積の大きい面状部材３１から順に積層するので、下層の面状部材３１に対して上層の面状部材３１を容易に位置決めできるようになり、精度よく水勾配を形成できるうえに面状部材３１の配置を容易に行うことができる。
【００３０】
前記実施形態の水勾配は、屋上面１１Ａの傾斜に沿って流れる水を左右に振り分ける勾配であったが、水を全て右方向或いは左方向に導く勾配としてもよく、面状部材３１を積層する水勾配構造であれば、水勾配の方向や形状等は実施にあたって適宜設定すればよい。
【００３１】
また、前記実施形態では、屋上面１１Ａの傾斜を屋根部材２０Ｂの勾配部材により形成したが、勾配部材を用いずに屋根面材上に面状部材３１を積層することにより形成してもよい。また、水勾配は、屋根面１１Ａに限らず、例えば、バルコニの床面に形成してもよく、屋外に面しかつ雨に晒される建物の屋外面であれば水勾配を形成する場所は任意である。
【００３２】
【発明の効果】
以上に述べたように、本発明によれば、面状部材を積層するので、最上層の防水シートの表面には、面状部材が最も多く積層された部分から最も少なく積層された部分に向かう勾配が形成されるようになり、水勾配を簡単な構造で容易かつ低コストに形成することができる。
【図面の簡単な説明】
【図１】本発明の一実施形態を示す平面図。
【図２】前記実施形態の屋根部を示す斜視図。
【図３】図２のIII−III線断面図。
【図４】前記実施形態の面状部材および防水シートを示す斜視図。
【図５】前記実施形態の変形の実施形態を示す斜視図。
【図６】本発明の他の実施形態を示す断面図。
【符号の説明】
１１Ａ  屋外面である屋上面
３１  面状部材
３２  防水シート
３３  勾配調整材
【図１】
0003708631.tif 000002
【図２】
0003708631.tif 000003
【図３】
0003708631.tif 000004
【図４】
0003708631.tif 000005
【図５】
0003708631.tif 000006
【図６】
0003708631.tif 000007